(57)【要約】  【課題】冷凍室が過冷とならず、圧縮機の連続運転による磨耗発生を抑えることのできる冷蔵庫の制御装置を提供する。  【解決手段】冷凍室温度検知手段１３と、冷凍室温度設定手段１４と、冷凍室温度差演算手段１５と、圧縮機回転数補正判定手段２３と、圧縮機回転数決定手段２０と、圧縮機駆動手段２１と、冷蔵室温度検知手段１６と、冷蔵室温度設定手段と１７、冷蔵室温度差演算手段１８と、切替弁駆動手段１９を備え、冷蔵オフ設定検出手段２２と、圧縮機回転数補正判定手段２３とを備え、冷蔵オフ設定検出手段２２により冷蔵オフが設定されていると、圧縮機回転数補正判定手段２３により圧縮機回転数の上昇を抑え、圧縮機回転数の上昇判定温度を上げることで圧縮機回転数を上昇させることなく、冷凍室を冷やしすぎることがなくなるため圧縮機の連続運転短縮化による磨耗発生を抑え、冷却システムにあった冷却性能となり最適化することができる。【選択図】図１
2006153335.tif 000002
【特許請求の範囲】
【請求項１】
冷凍室温度検知手段と、冷凍室温度設定手段と、冷凍室温度差演算手段と、圧縮機回転数補正判定手段と、冷蔵室温度検知手段と、冷蔵室温度設定手段と、冷蔵室温度差演算手段と、圧縮機駆動手段と、切替弁駆動手段と、圧縮機回転数決定手段と、冷蔵オフ設定検出手段とを備え、圧縮機回転数補正判定手段は、冷蔵オフ設定検出手段で冷蔵オフが設定されると圧縮機回転数の補正を行い、前記圧縮機回転数決定手段により決定された回転数にて圧縮機を前記圧縮機駆動手段により駆動し、切替弁を駆動するようにした冷蔵庫の制御装置。
【請求項２】
回転数時間測定手段は、冷蔵オフ設定検出手段と、冷凍室設定温度補正手段により冷凍室設定温度を引上げ、圧縮機回転数補正判定手段を一定時間後に設定を行い圧縮機の回転数を補正し、切替弁を駆動する請求項１に記載の冷蔵庫の制御装置。
【請求項３】
庫内送風機回転数決定手段と、庫内送風機と、庫内送風機駆動手段とを備え、冷蔵オフ設定検出手段と、冷凍室設定温度補正手段により冷凍室設定温度を引上げ、圧縮機回転数補正判定手段を一定時間後に設定し圧縮機回転数の補正を行い、庫内送風機回転数決定手段より庫内送風機を低速回転し、庫内送風機駆動手段より庫内送風機の駆動を行うようにした請求項１または２に記載の冷蔵庫の制御装置。
【請求項４】
切替弁時間測定手段は、切替弁が冷蔵室、冷凍室の冷却時間の測定を行い、前記切替弁時間測定手段が一定時間経過すると、圧縮機回転数補正判定より圧縮機の回転数を補正し、切替弁を駆動する請求項１に記載の冷蔵庫の制御装置。
【請求項５】
智能設定手段と外気温度検知手段とを備え、前記智能設定手段で智能が設定されると、前記外気温度検知手段で外気温度を検知し、前記冷凍室温度差演算手段と前記冷蔵室温度差演算手段により回転数時間測定手段を設け、圧縮機回転数補正判定手段より圧縮機の回転数を補正し、切替弁を駆動する請求項１に記載の冷蔵庫の制御装置。
【発明の詳細な説明】
【技術分野】
【０００１】
本発明は、圧縮機の能力制御を行う冷蔵庫の制御装置に関するものである。
【背景技術】
【０００２】
従来、冷蔵庫の圧縮機の回転数を変えることにより、圧縮機の能力制御を行い冷却能力の最適化を行うもの（例えば、特許文献１参照）がある。
【０００３】
図１１は、従来の冷蔵庫の制御装置の断面図を示すものである。図１１において、１は冷蔵庫本体で、区画壁２により上部に冷蔵室３、野菜室４、下部に冷凍室５、製氷室６に区画されている。７は圧縮機であり、８は凝縮機であり、前記冷蔵庫本体１の外壁内側に設けられている。９は冷凍室冷却器、１０は吸入管であり１１は冷蔵室冷却器、冷凍室５と冷蔵室３の冷却切替を行うＤＣステッピングモータ仕様の切替弁１２である。前記圧縮機７、凝縮機８、減圧縮（図示せず）、冷凍室冷却器９、冷蔵室冷却器１１、吸入管１０、切替弁１２は冷凍室と冷蔵室を直列に冷却を行い一連の冷凍サイクルを行っている。１３は冷凍室５の温度を検知する冷凍室温度検知手段、１４は冷凍室５の温度を設定する冷凍室温度設定手段である。冷凍室温度検知手段１３により検知した庫内温度と冷凍室温度設定手段１４により設定された設定温度との温度差を演算する冷凍室温度差演算手段１５である。１６は冷蔵室３の温度を検知する冷蔵室温度検知手段、１７は冷蔵室３の温度を設定する冷蔵室温度設定手段である。１８は冷蔵室温度検知手段１６により検知した庫内温度と冷蔵室温度設定手段１７により設定された設定温度との温度差を演算する冷蔵室温度差演算手段である。１９は、冷蔵室が冷えている場合に冷凍室のみの冷却を開始させて、切替弁１２を駆動させる切替弁駆動手段である。２０は冷凍室温度差演算手段１５より圧縮機７の回転数を指令する圧縮機回転数決定手段である。２１は圧縮機回転数決定手段２０により決定された回転数にて圧縮機７を駆動する圧縮機駆動手段により構成されている。
【０００４】
図１２は、従来の冷蔵庫の制御装置のフローチャートを示すものである。まず、電源を投入すると、ステップ１００として冷凍室温度の検出を行う冷凍室温度検知手段１３を読み込み、ステップ１０１で冷凍室設定温度の検出を行う冷凍室温度設定手段１４を読み込み、ステップ１０２で冷凍室温度と冷凍室設定温度の温度差である冷凍室温度差演算手段１９を演算する。ステップ１０３で冷凍室温度差演算手段１５で５℃以上の場合は、ステップ１０４で圧縮機回転数決定手段２０により例えば、回転数を３５００ｒ／ｍに設定する。ステップ１０５で冷凍室温度差演算手段１５において５℃以下でかつ、ステップ１０６で冷凍室温度差演算手段１５において３℃以上の場合は、ステップ１０７で圧縮機回転数決定手段２０により例えば、回転数を３０００ｒ／ｍに設定する。ステップ１０８で冷凍室温度差演算手段１５において３℃以下の場合は、ステップ１０９で圧縮機回転数決定手段２０により例えば、回転数を２５００ｒ／ｍに設定する。ステップ１１０は、圧縮機回転数決定手段２０により決定された回転数にて圧縮機７を駆動する圧縮機駆動手段２１である。この作用を繰り返して、通常の冷却運転が行われる。ステップ１１１として冷蔵室温度の検出を行う冷蔵室温度検知手段１６を読み込み、ステップ１１２で冷蔵室設定温度の検出を行う冷蔵室温度設定手段１７を読み込み、ステップ１１３で冷蔵室温度と冷蔵室設定温度の温度差である冷蔵室温度差演算手段１８を演算する。ステップ１１４で冷蔵室温度差演算手段１８の温度差が０℃以下の場合は、冷蔵室が冷却されているためステップ１１５で冷凍室を冷却させる。ステップ１１６で０℃以上の場合、ステップ１１７で冷凍室・冷蔵室を冷却し、切替弁駆動手段１９により切替弁１２を制御する。
【０００５】
以上のように構成された冷蔵庫の制御装置について、以下その動作を説明する。まず、冷凍室を冷却する場合、冷凍室温度検知手段１３により検知した冷凍室温度と、冷凍室温度設定手段１４により設定された設定温度との温度差により冷凍室温度差演算手段１５を決定する。冷凍室温度差演算手段１５により圧縮機７の回転数を圧縮機回転数決定手段２０で決定させる。冷凍室・冷蔵室を冷却する場合、冷蔵室温度検知手段１６により検知した冷蔵室温度と、冷蔵室温度設定手段１７により設定された設定温度との温度差により冷蔵室温度差演算手段１８で演算し、切替弁駆動手段１９によって切替弁１２の駆動を決定する。また、冷蔵室温度差演算手段１８により圧縮機７の回転数を圧縮機回転数決定手段２０で決定させる。
【０００６】
この時、温度差が大きい場合は高い回転数で、また温度差が小さい時は低い回転数で動作させるようにして冷却付加に応じた冷却能力で運動できるように構成されている。
【特許文献１】特開昭６２−２３８９６２号公報
【発明の開示】
【発明が解決しようとする課題】
【０００７】
しかしながら、上記従来の構成は、冷凍室温度と設定温度の温度差により圧縮機回転数を変えているが、冷蔵室の冷却を停止させることのできる冷蔵オフスイッチ機能がある場合において、冷蔵オフ中は冷蔵室の冷却を停止させるため冷凍室の冷却のみとなり、冷凍室温度と設定温度による温度差により回転数が上昇し、冷凍室が冷えすぎ過冷となり、圧縮機の連続運転による磨耗発生する課題を有していた。
【０００８】
本発明は従来の課題を解決するもので、冷蔵オフ中においては、圧縮機回転数の上昇判定温度を上げることで圧縮機回転数を上昇させることなく、冷凍室を冷やしすぎることがなくなるため、圧縮機の運転時間短縮化による磨耗を防ぐことができ冷却システムにあった冷却性能となり最適化することのできる冷蔵庫の制御装置を目的とする。
【０００９】
また、上記従来の構成は、冷蔵オフ中は冷蔵室の冷却を停止させるため冷凍室の冷却のみで冷凍室温度と設定温度の差が大きくなり、圧縮機回転数上昇により過冷となり、霜取終了時において庫内温度差が生じ、冷凍室の霜付きが多くなる課題を有していた。
【００１０】
本発明は従来の課題を解決するもので、冷蔵オフ中においては、冷凍室温度と設定温度の温度差により回転数の判定を決定していたが冷凍室設定温度を引上げ、圧縮機回転数の上昇判定時間を設けることで一定時間毎に圧縮機回転数を決定することで圧縮機回転数の上昇を抑えることにより、冷凍室を冷やしすぎることがなくなるため過冷による霜取終了時の庫内温度差を少なくし、着霜を抑えることのできる冷蔵庫の制御装置を目的とする。
【００１１】
また、上記従来の構成は、冷蔵オフ中は冷蔵室の冷却を停止させるため冷凍室の冷却のみで冷凍室温度と設定温度の差が大きくなり、冷凍室の冷却のみで、圧縮機回転数上昇と庫内送風機の高速回転により過冷となり消費電力が増大する課題を有していた。
【００１２】
本発明は従来の課題を解決するもので、冷蔵オフ中においては、冷凍室設定温度を引上げ、冷凍室温度と設定温度の温度差を設け、圧縮機回転数の上昇判定温度を上げ、圧縮機回転数の上昇判定時間を設け、さらに庫内送風機を低速回転させることで、圧縮機回転数を上昇させることなく、冷凍室が冷えすぎることがなくなるため消費電力を抑えることのできる冷蔵庫の制御装置を目的とする。
【００１３】
また、上記従来の構成は、冷凍室温度と設定温度の温度差により圧縮機回転数を変えているが、冷蔵室の温度変化により圧縮機回転数を変化させていないため、冷蔵室の冷却においては冷却時間が長くなるという課題を有していた。
【００１４】
本発明は従来の課題を解決するもので、切替弁が冷蔵室の場合、冷蔵室温度と設定温度の温度差により圧縮機回転数の上昇判定時間を設け回転数を上昇させ、冷蔵室が設定温度以下になると冷蔵室温度と設定温度の温度差により圧縮機回転数の上昇判定時間を設け回転数を上昇させ、冷凍室が設定温度以下で圧縮機で停止させることで、冷蔵室の冷却時間の短縮することのできる冷蔵庫の制御装置を目的とする。
【００１５】
また、上記従来の構成は、冷凍室温度と設定温度の温度差により圧縮機回転数を変えているが、庫内温度変化と時間経過から庫内温度を推測し温度設定できる智能スイッチ機能がある場合において、智能制御中は設定温度を推測するため、圧縮機回転数がすぐに上昇し、圧縮機が長時間運転するという課題を有していた。
【００１６】
本発明は従来の課題を解決するもので、智能制御中において、外気温度別に冷凍室温度と設定温度の温度差と冷凍室温度と冷凍室設定温度の温度差より、圧縮機回転数の上昇判定時間を上げることで圧縮機回転数を適正化し、圧縮機運転時間が短縮できるのを抑えることのできる冷蔵庫の制御装置を目的とする。
【課題を解決するための手段】
【００１７】
上記従来の課題を解決するために、本発明の冷蔵庫の制御装置は、冷蔵オフ中において圧縮機回転数補正判定手段により圧縮機回転数の上昇判定温度を変え、回転数上昇を抑えるようにしたものである。
【００１８】
これによって、冷蔵オフ中における回転数補正判定手段により、圧縮機回転数上昇を抑えることにより、冷凍室が冷えすぎることがなく、圧縮機の磨耗を防ぐことができ、冷却システムにあった冷却性能となり最適化することができる。
【００１９】
また、本発明の冷蔵庫の制御装置は、冷蔵オフ中においては、冷凍室設定温度を補正し引上げて、一定時間後に圧縮機回転数の補正を行うか判断するため、圧縮機回転数の上昇を抑えるようにしたものである。
【００２０】
これによって、冷蔵オフ中における回転数時間測定手段により冷凍室設定温度を引上げ、一定時間後に圧縮機回転数の補正を行うか判断することにより、圧縮機回転数上昇を抑え、冷凍室の過冷による霜取終了時の庫内温度差を少なくし着霜を抑えることができる。
【００２１】
また、本発明の冷蔵庫の制御装置は、冷蔵オフ中においては、冷凍室設定温度を引上げ冷凍室温度と設定温度の温度差を少なくし一定時間後に回転数の補正を行い、圧縮機回転数の上昇を抑え、庫内送風機を低速回転させるようにしたものである。
【００２２】
これによって、冷蔵オフ中において、冷凍室設定温度を引上げ一定時間後に圧縮機回転数の補正を行い、庫内ファンを低速回転するため、冷凍室が冷えすぎることがなくなるため消費電力を抑えるようにしたものである。
【００２３】
また、本発明の冷蔵庫の制御装置は、切替弁が冷蔵室の場合、冷蔵室温度と設定温度の温度差により圧縮機回転数の上昇判定時間を設け回転数を上昇させ、冷蔵室が設定温度以下になると冷蔵室温度と設定温度の温度差により圧縮機回転数の上昇判定時間を設け回転数を上昇させ、冷蔵室が設定温度以下で圧縮機で停止させるようにしたものである。
【００２４】
これにより、冷蔵室温度差により圧縮機運転行うので冷蔵室を優先的に冷却後、冷凍室の冷却を行うことにより、冷蔵室の冷却時間の短縮を行うようにしたものである。
【００２５】
また、本発明の冷蔵庫の制御装置は、智能制御中において、外気温度別に冷凍室温度と設定温度の温度差と冷凍室温度と冷凍室設定温度の温度差より、圧縮機回転数の上昇判定時間を設けるようにしたものである。
【００２６】
これにより、智能運転中は、外気温度別に圧縮機回転数の判定温度、判定時間を設けることで圧縮機回転数を適正化し、圧縮機運転時間が短縮できることのできる冷蔵庫の制御装置を目的とする。
【発明の効果】
【００２７】
本発明の冷蔵庫の制御装置は、冷蔵オフ中においては、圧縮機回転数の上昇判定温度を上げることで圧縮機回転数を上昇させることなく、冷凍室を冷えすぎることがなくなり、圧縮機の磨耗を防ぐことができ、冷却システムにあった冷却性能となり最適化することができる。
【００２８】
また、本発明の冷蔵庫の制御装置は、冷蔵オフ中においては、冷凍室温度と設定温度の温度差により回転数の判定を決定していたが、冷凍室設定温度を引上げ圧縮機回転数の上昇判定時間を設けることで一定時間毎に圧縮機回転数を決定することで圧縮機回転数の上昇を抑えることにより、冷凍室を冷えすぎることがなくなるため過冷による霜取終了時の庫内温度差を少なくし、着霜を抑えることができる。
【００２９】
また、本発明の冷蔵庫の制御装置は、冷蔵オフ中においては、冷凍室温度と設定温度の温度差により回転数の判定を決定していたが、冷凍室設定温度を引上げ、圧縮機回転数の上昇判定時間を設け、さらに庫内送風機を低速回転させることで、圧縮機回転数を上昇させることなく、冷凍室が冷えすぎることがなくなるため消費電力を抑えることができる。
【００３０】
また、本発明の冷蔵庫の制御装置は、切替弁が冷蔵室の場合、冷蔵室温度と設定温度の温度差により圧縮機回転数の上昇判定時間を設け回転数を上昇させ、冷蔵室が設定温度以下になると冷蔵室温度と設定温度の温度差により圧縮機回転数の上昇判定時間を設け回転数を上昇させ、冷凍室が設定温度以下で圧縮機で停止させることで、冷蔵室の冷却時間の短縮することができる。
【００３１】
また、本発明の冷蔵庫の制御装置は、智能制御中において、外気温度別に冷凍室温度と設定温度の温度差と冷凍室温度と冷凍室設定温度の温度差より、圧縮機回転数の上昇判定時間をとることで圧縮機回転数を適正化し、圧縮機運転時間が短縮できるのを抑えることができる。
【発明を実施するための最良の形態】
【００３２】
請求項１に記載の発明は、冷凍室温度検知手段と、冷凍室温度設定手段と、冷凍室温度差演算手段と、圧縮機回転数補正判定手段と、冷蔵室温度検知手段と、冷蔵室温度設定手段と、冷蔵室温度差演算手段と、圧縮機駆動手段と、切替弁駆動手段と、圧縮機回転数決定手段と、冷蔵オフ設定検出手段とを備え、圧縮機回転数補正判定手段は、冷蔵オフ設定検出手段で冷蔵オフが設定されると圧縮機回転数の補正を行い、前記圧縮機回転数決定手段により決定された回転数にて圧縮機を前記圧縮機駆動手段により駆動し、切替弁を駆動するようにしたものであり、冷蔵オフ中において、冷凍室温度と設定温度の温度差を設け、圧縮機回転数の上昇判定温度を上げることで圧縮機回転数を上昇させることなく、冷凍室を冷えすぎることがなく、圧縮機の磨耗を防ぐことができ、冷却システムにあった冷却性能となり最適化することができる。
【００３３】
請求項２に記載の発明は、請求項１に記載の発明において、回転数時間測定手段は、冷蔵オフ設定検出手段と、冷凍室設定温度補正手段により冷凍室設定温度を引上げ、圧縮機回転数補正判定手段を一定時間後に設定を行い圧縮機の回転数を補正し、切替弁を駆動するものであり、一定時間毎に圧縮機回転数を決定し、庫内温度が安定し圧縮機回転数の上昇を抑えることにより、冷凍室を冷えすぎることがなくなるため過冷による着霜を抑えることができる。
【００３４】
請求項３に記載の発明は、請求項１または２に記載の発明の冷蔵庫の制御装置において、庫内送風機回転数決定手段と、庫内送風機と、庫内送風機駆動手段とを備え、冷蔵オフ設定検出手段と、冷凍室設定温度補正手段により冷凍室設定温度を引上げ、圧縮機回転数補正判定手段を一定時間後に設定し圧縮機回転数の補正を行い、庫内送風機回転数決定手段より庫内送風機を低速回転し、庫内送風機駆動手段より庫内送風機の駆動を行うようにしたものであり、圧縮機回転数を上昇させることなく、冷凍室が冷えすぎることがなくなるため消費電力を抑えることができる。
【００３５】
請求項４に記載の発明は、請求項１に記載の発明の冷蔵庫の制御装置において、切替弁時間測定手段は、切替弁が冷蔵室、冷凍室の冷却時間の測定を行い、前記切替弁時間測定手段が一定時間経過すると、圧縮機回転数補正判定より圧縮機の回転数を補正し、切替弁を駆動するものであり、切替弁が冷蔵室の場合、冷蔵室温度と設定温度の温度差により圧縮機回転数の上昇判定時間を設け回転数を上昇させ、冷蔵室が設定温度以下になると冷蔵室温度と設定温度の温度差により圧縮機回転数の上昇判定時間を設け回転数を上昇させ、冷凍室が設定温度以下で圧縮機で停止させることで、冷蔵室の冷却時間の短縮することができる。
【００３６】
請求項５に記載の発明は、請求項１に記載の発明の冷蔵庫において、智能設定手段と外気温度検知手段とを備え、前記智能設定手段で智能が設定されると、前記外気温度検知手段で外気温度を検知し、前記冷凍室温度差演算手段と前記冷蔵室温度差演算手段により回転数時間測定手段を設け、圧縮機回転数補正判定手段より圧縮機の回転数を補正し、切替弁を駆動するものであり、智能制御中において、冷凍室温度と設定温度の温度差を少なくし、圧縮機回転数の上昇判定温度を上げ、圧縮機回転数の上昇判定時間を設けることで圧縮機回転数を適正化し、圧縮機運転時間を短縮できる。
【００３７】
（実施の形態１）
図１は、本発明の実施の形態１における冷蔵庫の制御装置の断面図である。図２は、同実施の形態の冷蔵庫の制御装置のフローチャートである。
【００３８】
図１、図２において、冷蔵オフ設定検出手段２２は、冷蔵オフが設定されているか検出を行い、圧縮機回転数補正判定手段２３は、圧縮機回転数を継続させ、一定時間経過後回転数を上げ、圧縮機回転数決定手段２０により決定された回転数にて、圧縮機７を駆動する圧縮機駆動手段２１からなる。
【００３９】
以上のように構成された冷蔵庫の制御装置について、以下にその動作を図２のフローチャートをもとに説明する。
【００４０】
まず、電源を投入すると、ステップ２００として冷凍室温度の検出を行う冷凍室温度検知手段１３を読み込み、ステップ２０１で冷凍室設定温度の検出を行う冷凍室温度設定手段１４を読み込み、ステップ２０２で冷凍室温度と冷凍室設定温度の温度差である冷凍室温度差演算手段１５を演算する。ステップ２０３で冷蔵オフ設定検出手段２２により、冷蔵オフ中の場合は、ステップ２０４で冷凍室温度差演算手段１５で例えば８℃以上の場合は、ステップ２０５で圧縮機回転数決定手段２０により例えば、回転数を３５００ｒ／ｍに設定する。ステップ２０６で冷凍室温度差演算手段１５において８℃以下でかつ６℃以上の場合は、ステップ２０７で冷凍室温度差演算手段１５において例えば、ステップ２０８で圧縮機回転数決定手段２０により例えば、回転数を３０００ｒ／ｍに設定する。ステップ２０９で冷凍室温度差演算手段１５において例えば６℃以下の場合は、ステップ２１０で圧縮機回転数決定手段２０により例えば、回転数を２５００ｒ／ｍに設定する。ステップ２１１で、圧縮機回転数決定手段２０により決定された回転数にて圧縮機７を駆動する圧縮機駆動手段２１である。この作用を繰り返して、通常の冷却運転が行われる。ステップ２１２として冷蔵室温度の検出を行う冷蔵室温度検知手段１６を読み込み、ステップ２１３で冷蔵室設定温度の検出を行う冷蔵室温度設定手段１７を読み込み、ステップ２１４で冷蔵室温度と冷蔵室設定温度の温度差である冷蔵室温度差演算手段１８を演算する。ステップ２１５で冷蔵オフ設定検出手段２２により冷蔵オフの場合は、冷蔵室が冷却されているためステップ２１６で冷凍室を冷却させる。ステップ２１７で冷蔵オフ以外の場合、ステップ２１８で冷凍室・冷蔵室を冷却し、切替弁駆動手段１９により切替弁１２を制御する。
【００４１】
以上のように構成された冷蔵庫の制御装置について、以下その動作、作用を説明する。
【００４２】
まず、冷蔵オフ設定検出手段２２は、冷蔵オフが設定されたか検出し、回転数補正判定手段２３は切替弁駆動手段１９により切替弁１２を冷凍室５から冷蔵室３に切替え後、圧縮機回転数を継続させ、一定時間経過後回転数を上げる。圧縮機回転数補正判定手段２３は、圧縮機回転数決定手段２０により決定された回転数にて、圧縮機７を駆動する圧縮機駆動手段２１からなる。
【００４３】
以上のように、本実施の形態においては冷蔵オフ設定検出手段２２により冷蔵オフが設定されていると、圧縮機回転数補正判定手段２３により圧縮機回転数の上昇を抑え、圧縮機回転数の上昇判定温度を上げることで圧縮機回転数を上昇させることなく、冷凍室を冷やしすぎることがなくなり、圧縮機の磨耗を防ぐことができ、冷却システムにあった冷却性能となり最適化することができる。
【００４４】
（実施の形態２）
図３は、本発明の実施の形態２における冷蔵庫の制御装置の断面図である。図４は、同実施の形態の冷蔵庫の制御装置のフローチャートである。
【００４５】
図３、図４において、冷凍室設定温度補正手段２４は、冷蔵オフ時冷凍室設定温度を引上げ、回転数時間測定手段２５は、圧縮機回転数の設定を一定時間経過後に判定を行い、圧縮機回転数決定手段２０により決定された回転数にて、圧縮機７を駆動する圧縮機駆動手段２１からなる。
【００４６】
以上のように構成された冷蔵庫の制御装置について、以下にその動作を図４のフローチャートをもとに説明する。
【００４７】
まず、電源を投入すると、ステップ３００として冷凍室温度の検出を行う冷凍室温度検知手段１３を読み込み、ステップ３０１で冷凍室設定温度の検出を行う冷凍室温度設定手段１４を読み込み、ステップ３０２で冷蔵オフ設定検出手段２２により冷蔵オフが設定されているとステップ３０３で冷凍室設定温度補正手段２４により冷凍室設定温度を例えば３℃引上げる。ステップ３０４で冷凍室温度と冷凍室設定温度の温度差である冷凍室温度差演算手段１５を演算する。ステップ３０５で冷蔵オフ設定検出手段２２により、冷蔵オフ中の場合は、ステップ３０６の回転数時間測定手段２５で例えば１０分経過していると、ステップ３０７で冷凍室温度差演算手段１５で例えば５℃以上の場合は、ステップ３０８で圧縮機回転数決定手段２０により例えば、回転数を３５００ｒ／ｍに設定する。ステップ３０９で冷凍室温度差演算手段１５において５℃以下でかつ３℃以上の場合は、ステップ３１０で冷凍室温度差演算手段１５において例えばステップ３１１で圧縮機回転数決定手段２０により例えば、回転数を３０００ｒ／ｍに設定する。ステップ３１２で冷凍室温度差演算手段１５において例えば３℃以下の場合は、ステップ３１３で圧縮機回転数決定手段２０により例えば、回転数を２５００ｒ／ｍに設定する。ステップ３１４は、圧縮機回転数決定手段２０により決定された回転数にて圧縮機７を駆動する圧縮機駆動手段２１である。この作用を繰り返して、通常の冷却運転が行われる。ステップ３１５として冷蔵室温度の検出を行う冷蔵室温度検知手段１６を読み込み、ステップ３１６で冷蔵室設定温度の検出を行う冷蔵室温度設定手段１７を読み込み、ステップ３１７で冷蔵室温度と冷蔵室設定温度の温度差である冷蔵室温度差演算手段１８を演算する。ステップ３１８で冷蔵オフ設定検出手段２２により冷蔵オフの場合は、冷蔵室が冷却されているためステップ３１９で冷凍室を冷却させる。ステップ３２０で冷蔵オフ以外の場合、ステップ３２１で冷凍室・冷蔵室を冷却し、切替弁駆動手段１９により切替弁１２を制御する。
【００４８】
以上のように構成された冷蔵庫の制御装置について、以下その動作、作用を説明する。
【００４９】
まず、冷凍室設定温度補正手段２４は、冷蔵オフ設定時に冷凍室設定温度の引上げを行い、回転数時間測定手段２５は、圧縮機回転数の設定を一定時間経過後に判定を行い、圧縮機回転数決定手段２０により決定された回転数にて、圧縮機７を駆動する圧縮機駆動手段２１からなる。
【００５０】
以上のように、本実施の形態においては冷蔵オフ設定検出手段２２により冷蔵オフが設定されていると、冷凍室設定温度補正手段２４により冷凍室設定温度を引上げ、回転数時間測定手段２５と圧縮機回転数補正判定手段２３により一定時間毎に圧縮機回転数の設定を行うことで庫内温度が安定し圧縮機回転数上昇を抑え、冷凍室温度と設定温度の温度差を少なくし圧縮機回転数を上昇させることなく、冷凍室を冷やしえすぎることがなくなるため、過冷による霜取終了時の庫内温度差を少なくし着霜を抑えることができる。
【００５１】
（実施の形態３）
図５は、本発明の実施の形態３における冷蔵庫の制御装置の断面図である。図６は、同実施の形態の冷蔵庫の制御装置のフローチャートである。
【００５２】
図５、図６において、庫内送風機回転数決定手段２６により決定された回転数にて、庫内送風機２７を駆動する庫内送風機駆動手段２８からなる。
【００５３】
以上のように構成された冷蔵庫の制御装置について、以下にその動作を図６のフローチャートをもとに説明する。
【００５４】
まず、電源を投入すると、ステップ４００として冷凍室温度の検出を行う冷凍室温度検知手段１３を読み込み、ステップ４０１で冷凍室設定温度の検出を行う冷凍室温度設定手段１４を読み込み、ステップ４０２で冷蔵オフ設定検出手段２２により冷蔵オフが設定されているとステップ４０３で冷凍室設定温度補正手段２４により冷凍室設定温度を例えば３℃引上げる。ステップ４０４で冷凍室温度と冷凍室設定温度の温度差である冷凍室温度差演算手段１５を演算する。ステップ４０５で冷蔵オフ設定検出手段２２により、冷蔵オフ中の場合は、ステップ４０６の回転数時間測定手段２５で例えば１０分経過していると、ステップ４０７で冷凍室温度差演算手段１５で例えば８℃以上の場合は、ステップ４０８で圧縮機回転数決定手段２０により例えば、回転数を３５００ｒ／ｍに設定する。ステップ４０９で庫内送風機回転数決定手段２６で中速設定とする。ステップ４１０で冷凍室温度差演算手段１５において８℃以下でかつ、ステップ４１１で冷凍室温度差演算手段１５において例えば６℃以上の場合は、ステップ４１２で圧縮機回転数決定手段２０により例えば、回転数を３０００ｒ／ｍに設定する。ステップ４１３で庫内送風機回転数決定手段２６で中速設定とする。ステップ４１１で冷凍室温度差演算手段１５において例えば６℃以下の場合は、ステップ４１５で圧縮機回転数決定手段２０により例えば、回転数を２５００ｒ／ｍに設定する。ステップ４１６で庫内送風機回転数決定手段２６で低速設定とする。ステップ４１７で、圧縮機回転数決定手段２０により決定された回転数にて圧縮機７を駆動する圧縮機駆動手段２１である。ステップ４１８で、庫内送風機回転数決定手段２６により決定された回転数にて庫内送風機２７を駆動する庫内送風機駆動手段２８である。この作用を繰り返して、通常の冷却運転が行われる。ステップ４１９として冷蔵室温度の検出を行う冷蔵室温度検知手段１６を読み込み、ステップ４２０で冷蔵室設定温度の検出を行う冷蔵室温度設定手段１７を読み込み、ステップ４２１で冷蔵室温度と冷蔵室設定温度の温度差である冷蔵室温度差演算手段１８を演算する。ステップ４２２で冷蔵オフ設定検出手段２２により冷蔵オフの場合は、冷蔵室が冷却されているためステップ４２３で冷凍室を冷却させる。ステップ４２４で冷蔵オフ以外の場合、ステップ４２５で冷凍室・冷蔵室を冷却し、切替弁駆動手段１９により切替弁１２を制御する。
【００５５】
以上のように構成された冷蔵庫の制御装置について、以下その動作、作用を説明する。
【００５６】
まず、庫内送風機回転数決定手段２６により決定された回転数にて、庫内送風機２７を駆動する庫内送風機駆動手段２８からなる。
【００５７】
以上のように、本実施の形態においては、冷蔵オフ設定検出手段２２により冷蔵オフが設定されていると、冷凍室設定温度補正手段２４により冷凍室設定温度を引上げ、回転数時間測定手段２５と圧縮機回転数補正判定手段２３により一定時間毎に圧縮機回転数の設定を行うことで圧縮機回転数上昇を抑え、冷凍室温度と設定温度の温度差を少なくし、圧縮機回転数の上昇判定温度を上げ、更に庫内送風機回転数決定手段２６により庫内送風機２７の回転数を低くすることとで圧縮機回転数を上昇させることなく、冷凍室が冷えすぎることがなくなるため消費電力を抑えることができる。
【００５８】
（実施の形態４）
図７は、本発明の実施の形態４における冷蔵庫の制御装置の断面図である。図８は、同実施の形態の冷蔵庫の制御装置のフローチャートである。
【００５９】
図７、図８において、切替弁が冷蔵室、冷凍室の冷却時間の測定を行う切替弁時間測定手段２９からなる。
【００６０】
以上のように構成された冷蔵庫の制御装置について、以下にその動作を図８のフローチャートをもとに説明する。
【００６１】
まず、電源を投入すると、ステップ５００として冷凍室温度の検出を行う冷凍室温度検知手段１３を読み込み、ステップ５０１で冷凍室設定温度の検出を行う冷凍室温度設定手段１４を読み込み、ステップ５０２で冷凍室温度と冷凍室設定温度の温度差である冷凍室温度差演算手段１５を演算する。ステップ５０３として冷蔵室温度の検出を行う冷蔵室温度検知手段１６を読み込み、ステップ５０４で冷蔵室設定温度の検出を行う冷蔵室温度設定手段１７を読み込み、ステップ５０５で冷蔵室温度と冷蔵室設定温度の温度差である冷蔵室温度差演算手段１８を演算する。ステップ５０６で冷蔵室温度差演算手段１８の温度差が０℃以下の場合は、冷蔵室が冷却されていないためステップ５０７で冷蔵室を冷却させる。ステップ５０８で切替弁時間測定手段２９で冷蔵室冷却時間が例えば１０分未満の場合は、圧縮機回転数決定手段２０により例えば、ステップ５０９で回転数を３０００ｒ／ｍに設定する。ステップ５１０で、例えば１０分以上の場合は、圧縮機回転数決定手段２０により例えば、ステップ５１１で回転数を３５００ｒ／ｍに設定する。ステップ５１２で冷蔵室温度差演算手段１８の温度差が０℃未満の場合は、冷蔵室が冷却されているため冷凍室を冷却させる。ステップ５１３で冷凍室温度差が０℃以上の場合は、ステップ５１４で切替弁時間測定手段２９で冷凍室冷却時間がステップ５１５で例えば１０分未満の場合は、圧縮機回転数決定手段２０により例えば、ステップ５１６で回転数を２５００ｒ／ｍに設定する。ステップ５１７で、例えば１０分以上の場合は、圧縮機回転数決定手段２０により例えば、ステップ５１８で回転数を３０００ｒ／ｍに設定する。ステップ５１９で冷凍室温度差が０℃以下の場合、ステップ５２０で回転数を０ｒ／ｍに設定する。ステップ５２１で圧縮機回転数決定手段２０により決定された回転数にて圧縮機７を駆動する圧縮機駆動手段２１である。冷蔵室温度により圧縮機回転数の駆動、冷凍室温度により圧縮機の停止を行い、切替弁により冷凍室・冷蔵室を冷却し、切替弁駆動手段１９により切替弁１２を制御する。この作用を繰り返して、通常の冷却運転が行われる。
【００６２】
以上のように構成された冷蔵庫の制御装置について、以下その動作、作用を説明する。
【００６３】
まず、切替弁が冷蔵室又は冷凍室を冷却している時間を測定する切替弁時間測定手段２９からなる。
【００６４】
以上のように、本実施の形態においては、切替弁が冷蔵室の場合、冷蔵室温度と設定温度の温度差により圧縮機回転数の上昇判定時間を設け回転数を上昇させ、冷蔵室が設定温度以下になると冷蔵室温度と設定温度の温度差により圧縮機回転数の上昇判定時間を設け回転数を上昇させ、冷凍室が設定温度以下で圧縮機で停止させることで、冷蔵室の冷却時間の短縮を図ることができる。
【００６５】
（実施の形態５）
図９は、本発明の実施の形態５における冷蔵庫の制御装置の断面図である。図１０は、同実施の形態の冷蔵庫の制御装置のフローチャートである。
【００６６】
図９、図１０において、冷蔵室温度と冷凍室温度変化と時間経過から設定温度を設定する智能設定手段３０と、外気温度検知手段３１からなる。
【００６７】
以上のように構成された冷蔵庫の制御装置について、以下にその動作を図１０のフローチャートをもとに説明する。
【００６８】
まず、電源を投入すると、ステップ６００として冷凍室温度の検出を行う冷凍室温度検知手段１３を読み込み、ステップ６０１で冷凍室設定温度の検出を行う冷凍室温度設定手段１４を読み込み、ステップ６０２で冷凍室温度と冷凍室設定温度の温度差である冷凍室温度差演算手段１５を演算する。ステップ６０３として冷蔵室温度の検出を行う冷蔵室温度検知手段１６を読み込み、ステップ６０４で冷蔵室設定温度の検出を行う冷蔵室温度設定手段１７を読み込み、ステップ６０５で冷蔵室温度と冷蔵室設定温度の温度差である冷蔵室温度差演算手段１８を演算する。ステップ６０７で智能設定手段３０より智能設定中の場合は、ステップ６０９で外気温度検知手段３１により外気温度を読みこむ。外気温度が２０℃以下の場合は、ステップ６１０でモードＡで例えば冷蔵室温度差演算手段１８が３℃以上且つ冷凍室温度差演算手段１５が３℃以上の場合は、回転数時間測定手段２５により３分後にステップ６１１で３５００ｒ／ｍに設定する。モードＢで例えば冷蔵室温度差演算手段１８が３℃未満且つ冷凍室温度差演算手段１５が３℃以上の場合は、回転数時間測定手段２５により４分後にステップ６１２で２５００ｒ／ｍに設定する。モードＣで例えば冷蔵室温度差演算手段１８が３℃以上且つ冷凍室温度差演算手段１５が３℃未満の場合は、回転数時間測定手段２５により５分後にステップ６１３で３０００ｒ／ｍに設定する。外気温度が２０℃以上の場合は、ステップ６１４でモードＤで例えば冷蔵室温度差演算手段１８が３℃以上且つ冷凍室温度差演算手段１５が３℃以上の場合は、回転数時間測定手段２５により２分後にステップ６１５で４０００ｒ／ｍに設定する。モードＥで例えば冷蔵室温度差演算手段１８が３℃未満且つ冷凍室温度差演算手段１５が３℃以上の場合は、回転数時間測定手段２５により３分後にステップ６１６で３０００ｒ／ｍに設定する。モードＦで例えば冷蔵室温度差演算手段１８が３℃以上且つ冷凍室温度差演算手段１５が３℃未満の場合は、回転数時間測定手段２５により４分後にステップ６１７で３５００ｒ／ｍに設定する。ステップ６１８で、圧縮機回転数決定手段２０により決定された回転数にて圧縮機７を駆動する圧縮機駆動手段２１である。この作用を繰り返して、通常の冷却運転が行われる。ステップ６１９で冷蔵室温度と冷蔵室設定温度の温度差である冷蔵室温度差演手段１８を演算し、ステップ６２０で冷蔵室温度差演算手段１８の温度差が０℃以下の場合は、冷蔵室が冷却されているため冷凍室を冷却させる。ステップ６２１で０℃以上の場合、ステップ６２２で冷凍室・冷蔵室を冷却し、切替弁駆動手段１９により切替弁１２を制御する。
【００６９】
以上のように構成された冷蔵庫の制御装置について、以下その動作、作用を説明する。
【００７０】
まず、智能設定が開始されているか検知する智能設定手段３０と、外気温度を検知する外気温度検知手段３１とからなる。
【００７１】
以上のように、本実施の形態においては、智能設定手段３０により智能設定中は、外気温度検知手段３１により、外気温度別に冷凍室温度差演算手段１５と冷蔵室温度差演算手段１８から回転数時間測定を設け圧縮機回転数補正判定手段２３より、圧縮機回転数の上昇判定温度を上げ、圧縮機回転数の上昇判定時間を設けることで圧縮機回転数を適正化し、圧縮機運転時間の短縮ができる。
【産業上の利用可能性】
【００７２】
以上のように、本発明にかかる冷蔵庫の制御装置は、智能設定中は、外気温度別に冷凍室温度差演算手段と冷蔵室温度差演算手段から回転数時間測定を設け圧縮機回転数補正判定手段より、圧縮機回転数の上昇判定温度を上げ、圧縮機回転数の上昇判定時間を設けることで圧縮機回転数を適正化し、圧縮機運転時間の短縮ができ、最低回転数で連続運転を行うことがなくなるため消費電力の向上を抑えることができるので圧縮機の能力制御の冷却機能を利用した制御装置等の用途にも利用できる。
【図面の簡単な説明】
【００７３】
【図１】本発明の実施の形態１における冷蔵庫の制御装置の断面図
【図２】同冷蔵庫の制御装置のフローチャート
【図３】本発明の実施の形態２における冷蔵庫の制御装置の断面図
【図４】同冷蔵庫の制御装置のフローチャート
【図５】本発明の実施の形態３における冷蔵庫の制御装置の断面図
【図６】同冷蔵庫の制御装置のフローチャート
【図７】本発明の実施の形態４における冷蔵庫の制御装置の断面図
【図８】同冷蔵庫の制御装置のフローチャート
【図９】本発明の実施の形態５における冷蔵庫の制御装置の断面図
【図１０】同冷蔵庫の制御装置のフローチャート
【図１１】従来例の冷蔵庫の制御装置の断面図
【図１２】同冷蔵庫の制御装置のフローチャート
【符号の説明】
【００７４】
１    冷蔵庫本体
３    冷蔵室
５    冷凍室
７    圧縮機
１２  切替弁
１３  冷凍室温度検知手段
１４  冷凍室温度設定手段
１５  冷凍室温度差演算手段
１６  冷蔵室温度検知手段
１７  冷蔵室温度設定手段
１８  冷蔵室温度差演算手段
１９  切替弁駆動手段
２０  圧縮機回転数決定手段
２１  圧縮機駆動手段
２２  冷蔵オフ設定検出手段
２３  圧縮機回転数補正判定手段
２４  冷凍室設定温度補正手段
２５  回転数時間測定手段
２６  庫内送風機回転数決定手段
２７  庫内送風機
２８  庫内送風機駆動手段
２９  切替弁時間測定手段
３０  智能設定手段
３１  外気温度検知手段
【図１】
2006153335.tif 000003
【図２】
2006153335.tif 000004
【図３】
2006153335.tif 000005
【図４】
2006153335.tif 000006
【図５】
2006153335.tif 000007
【図６】
2006153335.tif 000008
【図７】
2006153335.tif 000009
【図８】
2006153335.tif 000010
【図９】
2006153335.tif 000011
【図１０】
2006153335.tif 000012
【図１１】
2006153335.tif 000013
【図１２】
2006153335.tif 000014